(57)【特許請求の範囲】
【請求項１】
ソックス足部（１０）と、第１の踵部（１４）と、第１の上側部（１６）と、前記上側部の上端部に配置され、前記上側部の軸に垂直な平面に関して前記第１の踵部（１４）と実質的に対称な第２の踵部（１８）と、前記第２の踵部（１８）の延長上にある第２の上側部（２０）とを備え、前記第２の踵部は、前記第２の上側部が前記ソックス足部へ引かれたとき、前記第１の踵部を覆うように構成されている布地要素（２）。
【請求項２】
１つまたは複数の靴紐（３７）の通路を設けるために、前記第２の上側部に作られた開口（２１）をさらに備える、請求項１に記載の布地要素。
【請求項３】
布地材の少なくとも一部分が、臭気制御、殺菌性制御、湿気吸収、皮膚治療、不浸透性または撥水性、異物の侵入に対する抵抗性、耐摩耗性、弾性などを確保することができるようになる１つまたは複数の物理および／または化学特性を有する、請求項１または２に記載の布地要素。
【請求項４】
前記第２の上側部（２０）は、縫い目なしに前記第１の上側部に連結される、請求項１乃至３項のいずれか１項に記載の布地要素。
【請求項５】
請求項１乃至４のいずれか一項に記載の布地要素と、補強構造体とを備え、前記ソックス足部と、前記第１の踵部と、前記第１の上側部とは、ソックスを形成する第１の可撓性布地層（１０、１４、１６）を形成し、前記第２の踵部と前記第２の上側部は第２の布地層（１８、２０）を形成し、前記第１の可撓性布地層は、前記補強構造体の中に配置され、かつ固定手段によって前記補強構造体に固定され、前記補強構造体は、前記第２の上側部が前記ソックス足部へ引かれたとき、前記第１の可撓性布地層と前記第２の布地層との間に配置される、靴。
【請求項６】
前記第１の可撓性布地層が、
スナップ式ファスナ、ボタン、面ファスナ面などの手段を用いて前記補強構造体に連結されて、前記補強構造体から取り外せるように、
または、
接着または熱融着によって前記補強構造体に連結されて、前記補強構造体から取り外せないように
配置される、請求項５に記載の靴。
【請求項７】
前記第２の布地層（１８、２０）は、前記第１の可撓性布地層（１０、１４、１６）に連続して設けられ、前記第１の可撓性布地層と前記第２の布地層とは縫い目なしに連結される、請求項５または６に記載の靴。
【請求項８】
前記補強構造体は、少なくとも１つの靴底（３０）と、側面補強要素（３１〜３６）とを備える、請求項５乃至７のいずれか１項に記載の靴。
【請求項９】
前記補強構造体は、少なくとも１つのトップ・キャップ要素（４０）と、１つの補強部形成要素（４２）とをさらに備える、請求項８に記載の靴。
【請求項１０】
前記補強構造体は可撓性である、請求項５乃至９のいずれか１項に記載の靴。
【請求項１１】
前記補強構造体は繊維系材料から製作される、請求項５乃至１０のいずれか１項に記載の靴。
【請求項１２】
前記第１の可撓性布地層（１０、１４、１６）および／または前記第２の布地層（１８、２０）の布地材の少なくとも一部分が、臭気制御、殺菌性制御、湿気吸収、皮膚治療、不浸透性または撥水性、異物の侵入に対する抵抗性、耐摩耗性、弾性などを確保することができるようになる１つまたは複数の物理および／または化学特性を有する、請求項５乃至１１のいずれか１項に記載の靴。
【請求項１３】
前記布地材の少なくとも２つの領域同士が、１つまたは複数の異なる物理または化学特性を有する、請求項１２に記載の靴。
【請求項１４】
前記布地材の少なくとも２つの領域を、異なるレベルの不浸透性を有する領域にすることができる、請求項１３に記載の靴。
【請求項１５】
請求項１乃至４のいずれか１項に記載の布地要素であるソックス（２）と、少なくとも１つの靴底（３０）および少なくとも１つの側面補強構造体（３１〜３６、４３、４３’）を備える補強構造体（３）とを使用して靴を製作する方法であって、
前記ソックスを足形状の型（５２）上に嵌めるステップと、
前記補強構造体を前記ソックス上に接触させて配置するステップ、および固定手段を用いて前記補強構造体を前記ソックスに固定するステップと
を含む方法。
【請求項１６】
前記補強構造体は、接着、熱融着などによって、取り外せないように前記ソックスに固定される、請求項１５に記載の方法。
【請求項１７】
前記補強構造体は、スナップ式ファスナ、ボタン、面ファスナ面などの手段によって、取り外せるように前記ソックスに固定される、請求項１５に記載の方法。
【請求項１８】
前記補強構造体は、前記ソックスに取り付けられる前に、前記補強構造体を前記足形状の型に合わせるために、相対的に変位可能な第１の部分と第２の部分とを備える、請求項１５乃至１７のいずれか１項に記載の方法。
【発明の詳細な説明】
【技術分野】
【０００１】
本発明は、靴またはより一般的には履物などの衣料品の製造に関する。
【背景技術】
【０００２】
靴の製造は、その形に関係なく、数ダース程、ときには４５個までもの多数の要素を使用する必要があり、全てのそれら要素を互いに組立、結合、付着する多数のステップを含む。
【０００３】
したがって、靴の組立ては、時間の掛かるプロセスであり、特殊で、重く、高価な工具を必要とする。
【発明の概要】
【発明が解決しようとする課題】
【０００４】
本発明は、靴または履物のための新規な構造、ならびに靴または履物を製作する方法を提供する。
【課題を解決するための手段】
【０００５】
そのために、本発明は、先ず、ソックス足部（ｓｏｃｋ  ｆｏｏｔ）と、第１の踵部と、第１の上側部と、前記上側部の上端部に配置された第２の踵部と、第２の踵部の延長上にある第２の上側部とを備える布地要素を提供する。たとえば、第２の上側部は、縫い目なしに第１の上側部に連結されている。
【０００６】
１つまたは複数の靴紐の通路を設けるために、第２の上側部に開口を作ることができる。
【０００７】
本発明は、また、ソックスを形成する第１の可撓性布地層と、その布地層がその中に配置された補強構造体であって、その布地層が固定手段によってそこに固定された補強構造体とを、その内側から順に備える靴に関する。
【０００８】
布地層は、
−  スナップ式ファスナ、ボタン、面ファスナ面（フックアンドループ面）などの手段によって補強構造体に連結されて、補強構造体から取り外せるように、
または、
−  たとえば接着、熱融着、または任意の他の手段によって補強構造体に連結されて、補強構造体から取り外せないように
配置することができる。
【０００９】
靴は、第２の布地層をさらに備えることができ、補強構造体は、第１の布地層と第２の布地層との間に配置される。
【００１０】
第２の布地層は、たとえば、第１の布地層の延長上に作られ、第１の層と第２の層とは縫い目なしに連結される。
【００１１】
一実施形態によれば、補強構造体は、少なくとも１つの靴底（ｓｏｌｅ）と、側面補強要素とを備える。
【００１２】
その補強構造体は、少なくとも１つのトウ・キャップ（ｔｏｅ−ｃａｐ）要素および／または補強部形成要素をさらに備えることができる。
【００１３】
補強構造体が可撓性であることができ、たとえば繊維系材料から製作される。
【００１４】
本発明は、また、ソックスと、少なくとも１つの靴底および少なくとも１つの側面補強構造体を備える補強構造体とを使用して靴を製作する方法であって、
−  ソックスを足形状の型上に嵌めるステップと、
−  補強構造体をソックス上に接触させて配置するステップ、および固定手段を用いてその補強構造体を前記ソックスに固定するステップと
を含む方法に関する。
【００１５】
特定の実施形態によれば、ソックスは、既に上記に説明したように布地要素である。
【００１６】
補強構造体は、たとえば接着、熱融着などによって、取り外せないようにソックスに固定される。
【００１７】
あるいは、補強構造体は、スナップ式ファスナ、ボタン、面ファスナ面などを用いて、取り外せるようにソックスに固定される。
【００１８】
一実施形態によれば、まさに靴の製作中に、補強構造体を適合させることができ、その補強構造体が、ソックスに取り付けられる前に、その補強構造体を足形状の型に合わせるために、相対的に変位可能な第１の部分と第２の部分とを備える。
【００１９】
想定される実施形態とは関係なく、使用される布地材の少なくとも一部分が、臭気制御、殺菌性制御、湿気吸収、皮膚治療、不浸透性または撥水性、異物の侵入に対する抵抗性、耐摩耗性、弾性などを確保することができるようになる１つまたは複数の物理および／または化学特性を有することができる。
【００２０】
布地材の少なくとも２つの領域が、１つまたは複数の異なる物理または化学特性を有することができる。たとえば、布地材の少なくとも２つの領域同士を、異なるレベルの不浸透性を有する領域にすることができる。
【図面の簡単な説明】
【００２１】
【図１Ａ】本発明の範囲内で提供されることができる布地要素またはソックスを示す。
【図１Ｂ】本発明の範囲内で提供されることができる布地要素またはソックスを示す。
【図２Ａ】図１Ａおよび１Ｂに示されたタイプの要素を製作するステップを示す。
【図２Ｂ】図１Ａおよび１Ｂに示されたタイプの要素を製作するステップを示す。
【図２Ｃ】図１Ａおよび１Ｂに示されたタイプの要素を製作するステップを示す。
【図３Ａ】本発明の範囲内で提供されることができる補強手段の様々な実施形態を示す。
【図３Ｂ】本発明の範囲内で提供されることができる補強手段の様々な実施形態を示す。
【図３Ｃ】本発明の範囲内で提供されることができる補強手段の様々な実施形態を示す。
【図３Ｄ】本発明の範囲内で提供されることができる補強手段の様々な実施形態を示す。
【図３Ｅ】本発明の範囲内で提供されることができる補強手段の様々な実施形態を示す。
【図４Ａ】本発明による靴をその上で実現することができる予備成形品を示す。
【図４Ｂ】本発明による靴をその上で実現することができる予備成形品を示す。
【図５Ａ】本発明による方法の実施形態の最初のステップを示す。
【図５Ｂ】本発明による方法の実施形態の最初のステップを示す。
【図６Ａ】本発明による方法の実施形態の第２のステップを示す。
【図６Ｂ】本発明による方法の実施形態の第２のステップを示す。
【図７Ａ】本発明による方法の実施形態の第２のステップを示す。
【図７Ｂ】本発明による方法の実施形態の第２のステップを示す。
【図７Ｃ】本発明による方法によって得られる靴の例を示す。
【図８】本発明による方法によって得られる靴の別の例を示す。
【図９Ａ】本発明による方法の別の実施形態のステップを示す。
【図９Ｂ】本発明による方法の別の実施形態のステップを示す。
【発明を実施するための形態】
【００２２】
最初に、本発明による履物の製作に使用することができる布地要素２の製作について説明する。
【００２３】
その要素が、図１Ａおよび１Ｂに概略的に示されている。
【００２４】
その要素は、端部１２および踵部１４を備えるソックス足部１０を形成する第１の部分を備える。この足部から上側部１６が延在する。これら要素１０、１２、１４、１６はソックスの通常の構造を構成する。しかし、ここで使用されるソックスでは、上側部１６から第２の踵部１８が延在し、次いで端部開口２２を有する第２の上側部２０が延在する。この要素は、平面上に配置されると、図１Ａのように実質的にＵ字形を有する。
【００２５】
靴紐を形成する紐を通すために、開口２１を第２の上側部２０に設けることができる。
【００２６】
そのアセンブリは、上側部１６の軸に略垂直であり、図１Ｂにその交線が示される平面Ｃ−Ｃ’に対して実質的に対称である。その対称性に、端部１２および開口２２は含まれない。
【００２７】
図１Ａおよび１Ｂを参照して上記で説明されたような要素を製作する方法のステップを、図２Ａ〜２Ｃを参照して説明する。
【００２８】
上側部１６の直径に実質的に対応する直径を有する略円筒形の布地要素１が、たとえば編む、織る、または縒ることによって、円筒５（図２Ａ）上に製作される。
【００２９】
要素１が、完成すると支持体５から取り外され、踵部１４、１８をその中に配置するために、２つの切込部または切抜部４、８が要素１に作られる（図２Ｂ）。図２Ｂは、要素１０の終端部になる開口２２も示している。
【００３０】
切断部４、８は、布地要素１の両端部を、その円筒の対称軸Ｘ−Ｘ’から離して配置することができるようにする。
【００３１】
踵部を形成する布地部分１４、１８およびソックス足部の端部を形成する部分１２を、次いで、切込部４、８によって作られる開口に取り付けることができる（図２Ｃ）。それによって、図１Ａおよび１Ｂを参照して上記で説明されたタイプの要素を得ることができる。
【００３２】
要素２および上記の方法に使用される布地は、ソックス全体に一様でもよい。この布地は、いくつかの機能を組み込むために、１つまたは複数の特定の物理および／または化学特性を有してもよい。たとえば、布地は、１つまたは複数の以下の機能を果たすための組成を有し、かつ／または手段を備えることができる。すなわち、臭気制御、殺菌性制御、湿気吸収、皮膚治療、不浸透性または撥水性（ある程度まで不浸透性である特性）、異物の侵入に対する抵抗性、耐摩耗性、および弾性である。
【００３３】
さらに、これら特性の１つまたは複数は、ソックスの１つまたは複数の局所部分にしか関係しないこともある。たとえば、ある部分は、異物の侵入に抵抗することができる特性を有することができるが、他の部分にはそれは必要ないこともある。別の例として、ある部分は不浸透性を有することができるが、別の部分にはそれは必要ないこともある。
【００３４】
したがって、要素２および上記の方法に使用される布地は、一様でもよく、１つまたは複数の上記の機能を組み込むために、特定の局部的な物理および／または化学特性を有してもよい。
【００３５】
次に、本発明による靴または履物の製作に使用することができる補強構造体３の様々な実施形態が、図３Ａ〜３Ｅを参照して説明される。
【００３６】
これら様々な例のそれぞれは、繊維系材料、たとえばポリアミド、ポリウレタン、または任意の同等な材料から製作され、靴（ブーツ）の靴底アセンブリの一部分および側面補強手段を形成するようになされている。その方式に限定されないが、構造体３は、熱可塑性エラストマー材を成形することによって得ることができ、または当業者に既知の任意の技法によって得ることができる。
【００３７】
図３Ａは、縁部３０’、３０’’によって画定された、靴底３０を形成する可撓性部分と、側面補強要素３１〜３６とを備える上記のような補強要素３の第１の例を示す。側面補強要素３１〜３６は、その第１の端部が、靴底３０の縁部３０’、３０’’のうちの一方に取り付けられ、他方の端部が、１つまたは複数の紐帯または紐３７を通す保持部を形成する手段３１ａ〜３６ａを備えることができる。紐帯または紐３７は、たとえば、図３Ｃに示されるように、締結要素３９を終端部とするタイプの１つまたは複数の靴紐を形成するようになされている。それぞれの側面補強要素は、好ましくは、図３Ａに示されるような形状を有し、その形状が、靴底３０の対応する縁部３０’、３０’’の反対側の端部から靴底の縁部に直接連結されている端部まで延在する。この形状が、側面領域においてより効果的な補強手段を有することを可能にする。
【００３８】
薄い繊維層のその形状ゆえに、靴底３０は、好ましくは、一方では足部の軸に垂直な、他方ではその同じ軸に沿う２つの方向に沿って可撓性である。これによって、後続のステップにおける適合性が向上することになる。
【００３９】
図３Ａの実施形態では、靴底３０は、平坦であり、その前方部分においてもその後方部分にも限界が設けられていない。したがって、その靴底は、足部の端部領域も、足部のために補強部を形成する領域も画定しない。
【００４０】
図３Ｂに示された実施形態は、図３Ａを参照して上記に説明された要素の全てを備えるが（それゆえ、それら要素は再度説明しない）、さらに、靴底の前端部に、トウ・キャップを形成し、足部の前端部の位置を画定する要素４０を備える。先の実施形態と同様に、この補強要素は、足部の後方領域には限界を有せず、特に、補強部を形成する要素を有しない。この前方要素４０は、バンドによって構成され、やはり繊維系材料から製作され、靴底によって定義される面に略垂直に配置される。
【００４１】
図３Ｃの実施形態は、足部の前端部の位置を画定する領域４０と、さらに、補強要素３１〜３６の少なくとも一部分に側面繊維層４３、４３’によって連結されるとともに、補強部を形成する後方領域４２とを備え、側面繊維層４３、４３’は、ある程度の可撓性を維持しながら、後方部分にある程度の強度または剛性も与える。この図３Ｃに示されている他の要素は、図３Ａおよび３Ｂを参照して上記で既に説明したものと同一または同様である。
【００４２】
図３Ｄの実施形態は、図３Ｃの実施形態の変化形である。側面補強手段と、トウ・キャップ４０と、後方補強部４２とを備える構造体がやはり達成されているが、今度は、図３Ａの構造体と図３Ｅに示される構造体とを組み合わせることによって、２つの部分で達成されている。図３Ｅの構造体は、靴底を形成する部分３０ａと、トウ・キャップ４０と、補強部を形成する後方部分４２と、側面繊維層４３ａ、４３ａ’の形態の補強手段をやはり形成する側面要素とを備える。たとえば、その靴底３０の前縁部がトウ・キャップ４０の内面に接触するまで、この靴底部分３０ａに図３Ａの構造体を挿入することができる。逆の組立もまた可能であり、その場合、図３Ａの構造体の補強要素３１〜３４の上側部分が側面繊維層４３ａ、４３’ａのそれぞれの縁部４３０、４３０’に実質的に一致するまで、図３Ａの構造体に図３Ｅの構造体が挿入される。
【００４３】
次に、既に上記で説明された様々な要素から、靴をどのように製作することができるかを説明する。
【００４４】
そのために、図４Ａおよび４Ｂに前視および側視でそれぞれ示された立体型５０のような型または予備成形品が使用される。この型は足の外形を模っている。
【００４５】
図１Ａおよび１Ｂの布地要素をこの型上に嵌めて、図５Ａおよび５Ｂに示される中間要素を得ることができる。ソックスの前端部分１２が足の前端部に接触し、部分１０が足自体を覆い、部分１４が踵部と接触し、上側部１６が踝を取り巻き、第２の踵部１８が踝の後方上側部分に接触している。そのアセンブリから、第２の上側部２０が延在する。
【００４６】
図３Ａ〜３Ｅの補強要素のうちの１つがこのアセンブリ上に配置され、ここでは図３Ｄの複合要素が選択されている。型５０（ソックスを嵌められた）の足の前方部分が、トウ・キャップ４０の内面に当接して配置され、補強部４８が、型５０の踵の後方に当接して配置される。このように配置された補強要素を構成する繊維系材料の可撓性ゆえに、補強要素を、立体要素５０によって決められる形状に適合させることができる。さらに、図３Ｄの補強手段の構造体は、後方および前方の２つの部分が、場合によっては相互に摺動することができ、それによって、型５０によって決められる寸法に補強構造体を適合させることができるという利点を有する。
【００４７】
図６Ａおよび６Ｂで分かるように、ソックスの第２の上側部２０に作られた開口２１は、後に靴を締めることを可能にする紐をそこに通すことができる。
【００４８】
これら２つの要素、布地材から製作されたソックスと補強要素とは、たとえば接着によって、組み立てることができ、それによって、アセンブリは元に戻せない構造体を形成する。あるいは、補強構造体の材料とソックス１０の材料との融合を達成するために、アセンブリに加熱ステップを施すことができる。
【００４９】
別の実施形態では、布地材から製作されたソックスと補強要素とを元に戻せるように組み立てることができる。たとえば、相互に組み立てられる面同士を、互いに接触するようになされた領域に配置されたスナップ式ファスナ、ボタン、「Ｖｅｌｃｒｏ（登録商標）」タイプの面ファスナ面などの手段によって結合する。
【００５０】
後続のステップ中、図７Ａおよび７Ｂに示されるように、第２の上側部２０を形成する部分を、次いで、足部の上に引き下ろすことができ、このステップは、作業者による簡単な操作しか必要としない。作業者は、ソックスの端部開口２２の縁を掴み、第２の上側部２０を形成する部分を、足部の上側部分および靴底を形成する領域の両方の上に徐々に引き下ろす。
【００５１】
作業者は、開口２２がソックスの前端部に達するまでこの作業を続けて、図７Ｃに示されるようなアセンブリを形成する。そのとき、第２の踵部１８は、第１の布地層に位置し型５０と接触する第１の踵部１４を覆う。紐３７およびその締結手段３９は、開口２１を介してアクセス可能に残される。
【００５２】
このようにして得られたアセンブリを、さらに補強層を追加することによって、すなわち、図３Ａ〜３Ｅを参照して既に上記で説明されたタイプのうちの１つによる第２の補強構造体に、図７Ｃの構造体を挿入することによって、補強することもまた可能である。
【００５３】
このようにして履物が達成され、その履物は、場合によっては、補強要素の繊維系材料部分３０より強い靴底５２を、たとえば接着することによって、完成することができる（図８参照）。
【００５４】
靴底５２があり、またはなしで得られたアセンブリは、２つの繊維層と、極めて細く非常に軽い繊維材から製作された１つまたは複数の補強要素とを備えるのみなので、極めて軽い。この構造体は、したがって、２つの「皮」を備え、その間に１つまたは複数の補強要素が配置されている。
【００５５】
それらの説明を読んで理解されるように、諸工程では、縫合ステップを１つも行わず、または要素同士を相互に位置決めする難しいステップを１つも行わない。したがって、極めて簡単で、極めて速く、かつ極めて経済的な方式で、履物または靴を完成することが可能である。
【００５６】
上記の例示的実施形態は、図１Ａおよび１Ｂを参照して説明されたタイプの、すなわち２つの上側部１６、２０を有する、ソックスを実現する。
【００５７】
図９Ａおよび図９Ｂに示される別の実施形態の例では、１つのみの上側部１６を有する簡易ソックスが使用される。このソックスが、図４Ａおよび４Ｂの型５０上に嵌められる。次いで、図６Ａおよび６Ｂのステップにおけるように、たとえば図３Ａ〜３Ｅを参照して上記で説明されたうちの１つのタイプの補強構造体が、そのアセンブリに適用される。布地要素および補強要素は、次いで、恒久的に（たとえば接着および／または加熱によって）、または、たとえば、互いに接触するようになされた領域に配置されたスナップ式ファスナ、ボタン、「Ｖｅｌｃｒｏ（登録商標）」タイプの面ファスナ面などの手段によって、元に戻せるように組み立てられる。
【００５８】
それによって、図９Ｂの構造体が得られ、その構造体を、図８に示されるような靴底５２によって完成することができる。
【００５９】
この別の実施形態の例に関し、上記に既述の機能の１つをソックスに与えるために、ソックスの布地材として１つまたは複数の物理および／または化学特性を有する材料を使用することもできる。さらに、それら１つまたは複数の特性は、布地材全体に一様でもよく、布地材の一部分のみに局限されていてもよい。
【００６０】
布地要素２は、第１の部分と第２の部分とが相互に直接連続して作られているという意味で、一体に製造することができることが示されてきた。しかし、別法として、布地要素２は、縫合などの任意の適切な手段によって互いに取り付けられた２つ以上の部分を備えてもよい。
【図１Ａ】
0006396921.tif 000002
【図１Ｂ】
0006396921.tif 000003
【図２Ａ】
0006396921.tif 000004
【図２Ｂ】
0006396921.tif 000005
【図２Ｃ】
0006396921.tif 000006
【図３Ａ】
0006396921.tif 000007
【図３Ｂ】
0006396921.tif 000008
【図３Ｃ】
0006396921.tif 000009
【図３Ｄ】
0006396921.tif 000010
【図３Ｅ】
0006396921.tif 000011
【図４Ａ】
0006396921.tif 000012
【図４Ｂ】
0006396921.tif 000013
【図５Ａ】
0006396921.tif 000014
【図５Ｂ】
0006396921.tif 000015
【図６Ａ】
0006396921.tif 000016
【図６Ｂ】
0006396921.tif 000017
【図７Ａ】
0006396921.tif 000018
【図７Ｂ】
0006396921.tif 000019
【図７Ｃ】
0006396921.tif 000020
【図８】
0006396921.tif 000021
【図９Ａ】
0006396921.tif 000022
【図９Ｂ】
0006396921.tif 000023